(57)【特許請求の範囲】
【請求項１】
紙、合成樹脂シート、各種フィルムあるいは布等の可撓性長尺材を、その長尺方向に向けて搬送する搬送機に付設されて、前記長尺材の搬送途中における蛇行を修正する蛇行修正装置であって、
前記搬送機の機枠側であって前記長尺材の少なくとも一方の側端縁側に配置されて、前記長尺材の蛇行を検知する検知手段と、この検知手段の上流側に位置すべく前記機枠に取付けられて、搬送されてくる前記長尺材の一方の面を支える支え板と、この支え板の長尺材とは反対側であって、前記長尺材の少なくとも一端縁側に配置され、前記長尺材の長尺方向に対して傾斜する状態で前記機枠側に支持される磁性体からなる押圧ローラと、この押圧ローラに対向する前記支え板の裏面側に設置されて、前記検知手段からの信号を得て前記押圧ローラを支え板側に向けて吸着する電磁石とを備えたことを特徴とする可撓性長尺材の蛇行修正装置。
【請求項２】
前記支え板の前記長尺材側の表面に、前記押圧ローラの軸方向と略直交する送り条を形成したことを特徴とする請求項１に記載の可撓性長尺材の蛇行修正装置。
【発明の詳細な説明】
【０００１】
【発明の属する技術分野】
本発明は、紙、合成樹脂シート、各種フィルムあるいは布等の可撓性長尺材の搬送を行う際に、その蛇行を修正するための装置に関するものである。
【０００２】
【従来の技術】
紙、合成樹脂シート、各種フィルムあるいは布等の可撓性長尺材は、これによって種々なものを連続的に製造するための所謂「原反」として使用されるものであるが、このような長尺材は、搬送装置によって種々な加工機に向け連続的に搬送されるものである。この種の長尺材は、その搬送途中において種々な原因によって蛇行するものであり、搬送途中においてはこの蛇行を常に修正する必要があある。
【０００３】
蛇行修正については、従来より種々な対策が講じられてきているが、その代表的な考え方は、次の二種類である。第１の方法は、長尺材あるいはこれを支承する無端ベルトを送る送りローラの軸心角度を調整することにより、長尺材の蛇行を言わば間接的に修正する方法であり、第２の方法は、長尺材そのものに直接的に力を加えて、その蛇行を直接的に修正する方法である。
【０００４】
第１の蛇行修正方法としては、例えば特開平１−２８１２３７号公報にて提案されているような「ベルトの蛇行修正装置」が代表として挙げられる。この従来の蛇行修正装置では、上記公報の特許請求の範囲に記載されているように、「…無端状のベルトをその周回経路中で修正ローラに掛装し、その修正ローラはベルトの進行方向に対し傾動可能に支持」するものであり、修正ローラを選択的に傾動させることができる構造としなければならないから、装置全体としては、非常に複雑なものにならざるを得ない。
【０００５】
第２の方法としては、長尺材の表面に、その長尺方向に対して傾斜する押圧ローラを設けて、この押圧ローラによって長尺材の端縁を常に外側に引っ張るようにして行う方法が一般的である。このような押圧ローラを採用した場合には、その長尺材の引っ張り力を安定させるための微妙な調整を行わなければならないだけでなく、長尺材に対して比較的小さな「線」で蛇行修正を行わなければならないから、修正が確実にならないことがあり得る。また、この第２の方法では、その押圧ローラの摩擦力の低下を常にチェックしなければならないことになって、メンテナンスが非常に面倒なものである。
【０００６】
そこで、本発明者は、長尺材の蛇行を修正する装置として、構造が簡単でメンテナンスフリーなものとするにはどうしたらよいか、について種々検討を重ねてきた結果、本発明を完成したのである。
【０００７】
【発明が解決しようとする課題】
本発明は、以上のような実状に鑑みてなされたもので、その解決しようとする課題は、上記第２の方法を採用しながらも、作動が確実でしかもメンテナンスフリーなものとすることである。
【０００８】
すなわち、まず請求項１に係る発明の目的とするところは、押圧ローラを採用するものであっても、紙、合成樹脂シート、各種フィルムあるいは布等の長尺材の蛇行修正を確実に行うことができ、しかも構造が簡単でメンテナンスフリーな蛇行修正装置を提供することにある。
【０００９】
また、請求項２に係る発明の目的とするところは、上記請求項１に係る発明の目的を達成することができる他、紙、合成樹脂シート、各種フィルムあるいは布等の長尺材の蛇行修正を確実に行うことができて、信頼性をさらに高くすることのできる蛇行修正装置を提供することにある。
【００１０】
【課題を解決するための手段】
以上の課題を解決するために、まず請求項１に係る発明の採った手段は、後述する実施の形態の説明中で使用する符号を付して説明すると、
「紙、合成樹脂シート、各種フィルムあるいは布等の可撓性長尺材Ｗを、その長尺方向に向けて搬送する搬送機に付設されて、長尺材Ｗの搬送途中における蛇行を修正する蛇行修正装置１０であって、
前記搬送機の機枠側であって長尺材Ｗの少なくとも一方の側端縁側に配置されて、長尺材Ｗの蛇行を検知する検知手段１１と、この検知手段１１の上流側に位置すべく機枠に取付けられて、搬送されてくる長尺材Ｗの一方の面を支える支え板１２と、この支え板１２の長尺材Ｗとは反対側であって、長尺材Ｗの少なくとも一端縁側に配置され、長尺材Ｗの長尺方向に対して傾斜する状態で前記機枠側に支持される磁性体からなる押圧ローラ１３と、この押圧ローラ１３に対向する支え板１２の裏面側に設置されて、検知手段１１からの信号を得て押圧ローラ１３を支え板１２側に向けて吸着する電磁石１４とを備えたことを特徴とする可撓性長尺材Ｗの蛇行修正装置１０」
である。
【００１１】
すなわち、この請求項１に係る蛇行修正装置１０においては、基本的には上記従来技術の項で述べた第２の方法を採用しているものであるが、通常時には押圧ローラ１３を言わばフリーの状態のままにしておいて、紙、合成樹脂シート、各種フィルムあるいは布等の長尺材Ｗが蛇行したときにのみ、これを検知した検知手段１１からの信号によって電磁石１４を作動させ、押圧ローラ１３による蛇行修正の力を長尺材Ｗ上に掛けるようにしたのである。なお、押圧ローラ１３による押圧は、押圧ローラ１３自体の重力を利用するとより効果的になるため、図２に示すように、軸心が水平状になるように当該押圧ローラ１３及び長尺材Ｗの配置を行うとよい。勿論、ある程度の重力が掛かればよいから、押圧ローラ１３及び長尺材Ｗを斜めに設置するようにしてもよい。
【００１２】
以上のような請求項１に係る蛇行修正装置１０を採用した場合、例えば、長尺材Ｗが図１の図示左方に蛇行したとすると、これを検知した図示左側の検知手段１１が、反対側である図示右側の押圧ローラ１３の下方ある電磁石１４に信号を送ってこれを励磁させる。この電磁石１４は、図２に示すように、支え板１２を介してではあるが押圧ローラ１３に近接しているため、励磁した電磁石１４の磁力によって、長尺材Ｗを支え板１２上に押圧することになる。
【００１３】
図１の右側に示した押圧ローラ１３は、長尺材Ｗの長尺方向、つまり進行方向に対して傾斜しているため、これが当該長尺材Ｗの右端縁を支え板１２に向けて押圧することによって、長尺材Ｗの右端縁を図１の図示右側に引っ張る力、摩擦力を発生することになるのである。従って、図１の図示左側に蛇行しようとしていた長尺材Ｗは、上記の右側へ引っ張る力によって、その蛇行が修正されることになるのである。勿論、長尺材Ｗが右側への蛇行を始めれば、上述したのとは逆の作用がなされて、蛇行修正がなされるのである。
【００１４】
図１に示した例では、長尺材Ｗの両側に検知手段１１や電磁石１４を配置して、長尺材Ｗの左右のどちらの蛇行に対しても対応することができるようにしているが、本発明に係る蛇行修正装置１０は、次のような搬送機であれば、長尺材Ｗの一方に対して付設して実施すればよい。つまり、搬送機として、長尺材Ｗの一方の側端縁を案内定規等の固定物によって案内するようにし、この固定物側への長尺材Ｗの蛇行を防止するものである場合には、当該固定物側に押圧ローラ１３や電磁石１４を配置する必要はないのである。
【００１５】
以上のように、この請求項１に係る蛇行修正装置１０は、各部の構造が非常に簡単になっているのであり、容易に製造することができることは当然として、既設の搬送機に対して簡単に付設することもできるものとなっているのである。しかも、この蛇行修正装置１０は、その構造が簡単であることから、メンテナンスフリーなものともなっているのである。
【００１６】
さて、上記課題を解決するために、請求項２に係る発明の採った手段は、上記請求項１に係る蛇行修正装置１０について、
「支え板１２の長尺材Ｗ側の表面に、押圧ローラ１３の軸方向と略直交する送り条１５を形成した」
ことである。
【００１７】
すなわち、この請求項２に係る蛇行修正装置１０では、その支え板１２の長尺材Ｗ側の表面に送り条１５を形成したものであるが、この送り条１５は、支え板１２の表面に突出する突条であってもよいし、また支え板１２表面の凹溝であってもよい。また、これらの各送り条１５は、押圧ローラ１３の軸方向と略直交するものとして形成する必要があるが、その理由は、これら各送り条１５によっても長尺材Ｗの裏面に外側へ引っ張り出す力を付与するためであり、この力を発揮させるためには、長尺材Ｗの端縁が常に外側に案内されるように各送り条１５の角度を規定しておかなければならないからである。
【００１８】
従って、この請求項２に係る蛇行修正装置１０によれば、蛇行修正のために上記押圧ローラ１３が作動したときには、当該押圧ローラ１３による押圧力が長尺材Ｗの表面に、また各送り条１５による摩擦力を長尺材Ｗの裏面に、それぞれ同時に発生されるから、これらの力によって長尺材Ｗの端縁が外側に引っ張られ、蛇行修正が確実になされるのである。
【００１９】
【発明の実施の形態】
次に、上記のように構成した各請求項に係る発明を、図面に示した実施の形態に係る蛇行修正装置１０に従って説明するが、この実施形態の蛇行修正装置１０は、上記各請求項に係る発明の全てを含むものであるから、以下では、この実施形態の蛇行修正装置１０を中心にした説明を行うこととする。
【００２０】
さて、図１には、図示上方に搬送される紙、合成樹脂シート、各種フィルムあるいは布等の長尺材Ｗの、図示しない搬送機に、本発明に係る蛇行修正装置１０を実施した場合の平面図が示してあり、図２には同部分側面図が示してある。この蛇行修正装置１０は、図示しない搬送機の機枠側であって長尺材Ｗの両側端縁側に配置した検知手段１１と、この検知手段１１の上流側に位置すべく機枠に取付けた支え板１２と、前記機枠側に支持した押圧ローラ１３と、この押圧ローラ１３に対向する支え板１２の裏面側に設置されて、検知手段１１からの信号を得て押圧ローラ１３を支え板１２側に向けて吸着する電磁石１４とを備えたものである。この実施形態の蛇行修正装置１０は、上記検知手段１１、押圧ローラ１３及び電磁石１４を、長尺材Ｗの両側にそれぞれ一個づつ設けたものである。
【００２１】
この実施形態における各検知手段１１は、図２にも示したように、その蛇行検知バーに長尺材Ｗの端縁が当接したときに、反対側の電磁石１４を通電するように信号を発するものである。従って、この実施形態の蛇行修正装置１０では、各検知手段１１とこれによって作動する電磁石１４とは逆に配置してある。
【００２２】
勿論、長尺材Ｗの蛇行を検知する検知手段１１としては、このような形態のものには限らない。例えば、通常は長尺材Ｗの外端縁が存在していることを検知していて、この外端縁が内方に蛇行したとき、つまり長尺材Ｗが規定範囲内に存在しなくなったときに、長尺材Ｗの蛇行を検知するものであってもよい。このような場合には、各検知手段１１の信号は、同じ位置にある電磁石１４に向けて発信されなければならない。
【００２３】
支え板１２は、図１に示したような、長尺材Ｗの全幅を支えるものであってもよいが、押圧ローラ１３の押圧力を受けられるものであれば、例えば長尺材Ｗの端縁部分を支持する２つのものに分割したものを採用して実施してもよい。特に、この支え板１２の長尺材Ｗに当接することになる表面に、請求項２に係る送り条１５を設けて実施するとよい。各送り条１５は、上述したように、支え板１２の表面に突出する突条であってもよいし、また支え板１２表面の凹溝であってもよい。
【００２４】
各押圧ローラ１３は、一般に採用されているものであるが、本実施形態にあっては、押圧時に、紙、合成樹脂シート、各種フィルム、あるいは布等の長尺材Ｗの表面に損傷を与えないようにするために、当該押圧ローラ１３の表面にセレーションのような凹凸を形成することはしていない。ただし、この押圧ローラ１３は、電磁石１４の磁力によって吸着されるものであるから、その大部分を磁性体によって形成したものである。
【００２５】
また、この押圧ローラ１３は、支え板１２との協動によって搬送途中の長尺材Ｗを挟持したとき、その挟持部分、つまり端縁を外側に引き出さなければならないものであるから、図１にも示したように、図示しない搬送機に、長尺材Ｗの長尺方向に対して傾斜状態で支持されるものである。なお、本実施形態の押圧ローラ１３は、図１の左側のもので示したように、磁性体からなる筒体を、一本の支持軸に回転自在に支持させたものであり、当該押圧ローラ１３の自重によっても長尺材Ｗの支え板１２上に対する押圧が行えるようにしたものである。
【００２６】
各電磁石１４は、上記押圧ローラ１３による、長尺材Ｗの蛇行を修正できる程度の磁力を発生させるものであり、一般的なものである。勿論、長尺材Ｗが蛇行したときに、各電磁石１４のいずれが起動するかは、検知手段１１の形態によって異なることは、前述した通りである。
【００２７】
【発明の効果】
以上、詳述した通り、請求項１に係る発明においては、上記実施の形態で例示した如く、
「搬送機の機枠側であって長尺材Ｗの少なくとも一方の側端縁側に配置されて、長尺材Ｗの蛇行を検知する検知手段１１と、この検知手段１１の上流側に位置すべく機枠に取付けられて、搬送されてくる長尺材Ｗの一方の面を支える支え板１２と、この支え板１２の長尺材Ｗとは反対側であって、長尺材Ｗの少なくとも一端縁側に配置され、長尺材Ｗの長尺方向に対して傾斜する状態で機枠側に支持される磁性体からなる押圧ローラ１３と、この押圧ローラ１３に対向する支え板１２の裏面側に設置されて、検知手段１１からの信号を得て押圧ローラ１３を支え板１２側に向けて吸着する電磁石１４とを備えたこと」
にその構成上の特徴があり、これにより、押圧ローラ１３を採用するものであっても、紙、合成樹脂シート、各種フィルムあるいは布等の長尺材Ｗの蛇行修正を確実に行うことができ、しかも構造が簡単でメンテナンスフリーな蛇行修正装置１０を提供することができるのである。
【００２８】
また、請求項２に係る発明においては、上記請求項１に係る蛇行修正装置１０について、
「支え板１２の長尺材Ｗ側の表面に、押圧ローラ１３の軸方向と略直交する送り条１５を形成したこと」
にその構成上の特徴があり、これにより、上記請求項１に係る発明の目的を達成することができる他、紙、合成樹脂シート、各種フィルムあるいは布等の長尺材Ｗの蛇行修正を確実に行うことができて、信頼性がさらに高くできた蛇行修正装置１０を提供することができるのである。
【図面の簡単な説明】
【図１】本発明に係る蛇行修正装置の長尺材Ｗを中心にしてみた平面図である。
【図２】図１に示した蛇行修正装置の右側面図である。
【符号の説明】
１０  蛇行修正装置
１１  検知手段
１２  支え板
１３  押圧ローラ
１４  電磁石
１５  送り条
Ｗ  長尺材
【図１】
0003760206.tif 000002
【図２】
0003760206.tif 000003